(57)【特許請求の範囲】
【請求項１】
送信側端子と受信側端子との間に、順方向ピンダイオード（Ｄ１）、λ／４位相回路（Φ１）およびλ／４位相回路（Φ２）の直列回路と、インダクタ（Ｌ１）および順方向ピンダイオード（Ｄ３）の直列回路と、が並列に接続され、前記ピンダイオート（Ｄ１）のカソードとλ／４位相回路（Φ１）との接続点にアンテナ（ＡＮＴ１）が接続され、インダクタ（Ｌ１）とピンダイオード（Ｄ３）のアノードとの間にアンテナ（ＡＮＴ２）が接続され、送信側端子にインダクタ（Ｌ２）の一端が接続され、このインダクタ（Ｌ２）の他端は制御端子に接続され、λ／４位相回路（Φ１）とλ／４位相回路（Φ２）との接続点にピンダイオード（Ｄ２）のアノードが接続され、このピンダイオード（Ｄ２）のカソードは接地されている回路よりなり、
前記制御端子に入力される制御信号のＯＮ／ＯＦＦにより、前記アンテナ（ＡＮＴ１）または前記アンテナ（ＡＮＴ２）のいずれか一方からの信号が前記受信側端子に流れることを特徴とするアンテナ共用器。
【請求項２】
送信側端子と受信側端子との間に、逆方向ピンダイオード（Ｄ１）、λ／４位相回路（Φ１）およびλ／４位相回路（Φ２）の直列回路と、インダクタ（Ｌ１）および逆方向ピンダイオード（Ｄ３）の直列回路と、が並列に接続され、前記ピンダイオート（Ｄ１）のアノードとλ／４位相回路（Φ１）との接続点にアンテナ（ＡＮＴ１）が接続され、インダクタ（Ｌ１）とピンダイオード（Ｄ３）のカソードとの間にアンテナ（ＡＮＴ２）が接続され、送信側端子にインダクタ（Ｌ２）の一端が接続され、このインダクタ（Ｌ２）の他端は制御端子に接続され、λ／４位相回路（Φ１）とλ／４位相回路（Φ２）との接続点にピンダイオード（Ｄ２）のカソードが接続され、このピンダイオード（Ｄ２）のアノードは接地されている回路よりなり、
前記制御端子に入力される制御信号のＯＮ／ＯＦＦにより、前記アンテナ（ＡＮＴ１）または前記アンテナ（ＡＮＴ２）のいずれか一方からの信号が前記受信側端子に流れることを特徴とするアンテナ共用器。
【発明の詳細な説明】
【０００１】
【産業上の利用分野】
本発明は、移動体通信機において、スペースダイバーシティ受信システムを備えたアンテナ共用器に関する。
【０００２】
【従来の技術】
従来の移動体通信機、例えば、スペースダイバーシティ受信方式によるディジタル携帯電話システムは、図２に示される。アンテナＡＮＴ１はアンテナ共用器に接続され、もう一つのアンテナＡＮＴ２は別系統の受信フィルタ（ＲＸ−ＴＯＰ−ＢＰＦ）に接続されている。
【０００３】
【発明が解決しようとする課題】
しかしながら、この従来のスペースダイバーシティ受信方式によるディジタル携帯電話システムは、アンテナ共用器とは別にＲｘ−Ｔｏｐ用の受信フィルタを必要として、受信フィルタを２つ使用し、セットの小形化、コスト低減に問題があった。
【０００４】
したがって、本発明は、ダイバーシティ受信アンテナに対し一つの受信フィルタで対応して、受信フィルタを共通化し、小形化およびコストダウンを図ったアンテナ共用器を提供することを目的とする。
【０００５】
【課題を解決するための手段】
本発明の課題に対する解決手段は以下の通りである。
１．送信側端子と受信側端子との間に、順方向ピンダイオード（Ｄ１）、λ／４位相回路（Φ１）およびλ／４位相回路（Φ２）の直列回路と、インダクタ（Ｌ１）および順方向ピンダイオード（Ｄ３）の直列回路と、が並列に接続され、前記ピンダイオート（Ｄ１）のカソードとλ／４位相回路（Φ１）との接続点にアンテナ（ＡＮＴ１）が接続され、インダクタ（Ｌ１）とピンダイオード（Ｄ３）のアノードとの間にアンテナ（ＡＮＴ２）が接続され、送信側端子にインダクタ（Ｌ２）の一端が接続され、このインダクタ（Ｌ２）の他端は制御端子に接続され、λ／４位相回路（Φ１）とλ／４位相回路（Φ２）との接続点にピンダイオード（Ｄ２）のアノードが接続され、このピンダイオード（Ｄ２）のカソードは接地されている回路よりなり、前記制御端子に入力される制御信号のＯＮ／ＯＦＦにより、前記アンテナ（ＡＮＴ１）または前記アンテナ（ＡＮＴ２）のいずれか一方からの信号が前記受信側端子に流れることを特徴とするアンテナ共用器。
【０００６】
２．送信側端子と受信側端子との間に、逆方向ピンダイオード（Ｄ１）、λ／４位相回路（Φ１）およびλ／４位相回路（Φ２）の直列回路と、インダクタ（Ｌ１）および逆方向ピンダイオード（Ｄ３）の直列回路と、が並列に接続され、前記ピンダイオート（Ｄ１）のアノードとλ／４位相回路（Φ１）との接続点にアンテナ（ＡＮＴ１）が接続され、インダクタ（Ｌ１）とピンダイオード（Ｄ３）のカソードとの間にアンテナ（ＡＮＴ２）が接続され、送信側端子にインダクタ（Ｌ２）の一端が接続され、このインダクタ（Ｌ２）の他端は制御端子に接続され、λ／４位相回路（Φ１）とλ／４位相回路（Φ２）との接続点にピンダイオード（Ｄ２）のカソードが接続され、このピンダイオード（Ｄ２）のアノードは接地されている回路よりなり、前記制御端子に入力される制御信号のＯＮ／ＯＦＦにより、前記アンテナ（ＡＮＴ１）または前記アンテナ（ＡＮＴ２）のいずれか一方からの信号が前記受信側端子に流れることを特徴とするアンテナ共用器。
【０００７】
【作用】
本発明は、ダイバーシティ受信アンテナの切り替えをピンダイオードスイッチ回路で行い、ダイバーシティ受信アンテナに対し一つの受信フィルタで対応しているので、受信フィルタを共通化することができる。
【０００８】
【実施例】
以下に、本発明の実施例について図１を参照して説明する。
同図において、送信側ＬＰＦ（ローパスフィルタ）の出力端（送信側端子）と受信側ＢＰＦ（バンドパスフィルタ）の入力端（受信側端子）との間には、順方向ピンダイオードＤ１、λ／４位相回路Φ１およびλ／４位相回路Φ２からなる一つの直列回路と、インダクタＬ１および順方向ピンダイオードＤ３からなるもう一つの直列回路と、が並列に接続されている。
【０００９】
前記ピンダイオートＤ１のカソードとλ／４位相回路Φ１との接続点には、アンテナＡＮＴ１が接続されている。また、インダクタＬ１とピンダイオードＤ３のアノードとの間には、アンテナＡＮＴ２が接続されている。
【００１０】
送信側ＬＰＦの出力端（送信側端子）には、インダクタＬ２の一端が接続され、このインダクタＬ２の他端は制御端子に接続されている。また、λ／４位相回路Φ１とλ／４位相回路Φ２との接続点には、ピンダイオードＤ２のアノードが接続され、このピンダイオードＤ２のカソードは接地されている。
【００１１】
本実施例の回路構成は以上のようなものであるが、つぎに回路の動作について説明する。
１．制御電流ＯＮのとき
この制御電流は、一つには、制御端子からインダクタＬ２、ピンダイオードＤ１、λ／４位相回路Φ１およびピンダイオードＤ２を経由してアースに流れ、二つには、制御端子からインダクタＬ２、インダクタＬ１、ピンダイオードＤ３、λ／４位相回路Φ２そしてピンダイオードＤ２を経由してアースに流れる。送信系Ｔｘからの信号は、分岐点ａ（送信側端子）において、インダクタＬ１およびＬ２は信号周波数に対してインピーダンスが高いので、ピンダイオードＤ１方向に流れ、分岐点ｂ（アンテナ端子）において、λ／４位相回路Φ１は信号周波数に対しインピーダンスが無限大となるように位相調整されているので、信号はアンテナＡＮＴ１へと進む。また、アンテナＡＮＴ２からの信号は、インダクタＬ１のインピーダンスが高いので、ピンダイオードＤ３の方に流れ、分岐点ｃ（受信側端子）において、λ／４位相回路Φ２は信号周波数に対しインピーダンスが無限大となるように位相調整されているので、Ｒｘ側へと流れる。
【００１２】
２．制御電流ＯＦＦのとき
制御電流ＯＦＦで、ピンダイオードＤ１、Ｄ２、Ｄ３は、低容量で高インピーダンンスとなるので、交流信号は流れずアイソレーションが確保される。
【００１３】
アンテナＡＮＴ１からの信号は、分岐点ｂ（アンテナ端子）において、ピンダイオードＤ１が高インピーダンスのため、Ｒｘ側へ流れ、分岐点ｃ（受信側端子）においてもピンダイオードＤ３が高インピーダンスのため、Ｒｘ側へと流れる。
【００１４】
上記の制御電流のＯＮ／ＯＦＦによる信号の流れを簡略記載すると下記のようになる。
0003605860.tif 000002
したがって、制御電流のＯＮ／ＯＦＦにより、ＡＮＴ１からの信号も、ＡＮＴ２からの信号もＲＸ側に流れ、受信側ＢＰＦを経由することになり、ダイバーシティ受信アンテナＡＮＴ１、ＡＮＴ２に対し、受信側ＢＰＦを共通化できることになる。
【００１５】
なお、ピンダイオードを図１に示す方向とは逆方向に接続して、制御電流を同様に流す回路も考えられるが、前記実施例とほぼ同様なので、その説明を省略する。
【００１６】
【発明の効果】
本発明は、ダイバーシティ受信アンテナの切り替えをピンダイオードスイッチ回路で行い、ダイバーシティ受信アンテナに対し一つの受信フィルタで対応しているので、受信フィルタを共通化することができる。したがって、小形化およびコストダウンを図ったアンテナ共用器を実現することができる。
【図面の簡単な説明】
【図１】本発明の一実施例に係るアンテナ共用器の回路構成図
【図２】従来のアンテナ共用器の回路構成図
【符号の説明】
Ｌ１、Ｌ２            インダクタ
Ｄ１、Ｄ２、Ｄ３      ピンダイオード
ＡＮＴ１、ＡＮＴ２    アンテナ
Φ１、Φ２            λ／４位相回路
ＬＰＦ                ローパスフィルタ
ＢＰＦ                ハイパスフィルタ
【図１】
0003605860.tif 000003
【図２】
0003605860.tif 000004